(57)【要約】【課題】  被計量物をフックで吊り下げて重量を計量するフックハンガ形態の計量器では、ダンボールケースのような被計量物に予め包装用の紐が巻き付けられていることを要する。ダンボールケース包装では通常はガムテープ、又はホッチギス等による蓋止めを行なうものであるため、紐掛け作業は計量のためにのみ特別に行なわれることとなり、計量が終わるとこの紐を取り除く必要がある。このような作業操作では面倒であり、紐の携帯も面倒である。【解決手段】  ハンガハンドル１を有した計量器２に、被計量物Ａに巻付け可能のハンガベルト３を設けたことを特徴とする携帯計量器の構成。【選択図】        図１
2005062146.tif 000002
【特許請求の範囲】
【請求項１】
ハンガハンドル１を有した計量器２に、被計量物Ａに巻き付け可能のハンガベルト３を設けたことを特徴とする携帯計量器。
【請求項２】
前記ハンガベルト３は、被計量物Ａへの巻付部４をベルト幅方向へ拡縮可能に設けたことを特徴とする請求項１に記載の携帯計量器。
【請求項３】
前記ハンガベルト１は、巻付長さを調節可能に設けたことを特徴とする請求項１、又は２に記載の携帯計量器。
【発明の詳細な説明】
【技術分野】
【０００１】  この発明は、携帯計量器に関する。
【背景技術】
【０００２】  丸筒型の計量器の下端に被計量物吊下用のフックを有したフックハンガ形態の携帯計量器が知られている。
【発明の開示】
【発明が解決しようとする課題】
【０００３】  このようなフックハンガ形態の計量器の使用では、ダンボールケースのような被計量物に予め包装用の紐が巻き付けられていることを要する。しかし、ダンボールケース包装では通常はガムテープ、又はホッチギス等による蓋止め形態であるため、紐掛けは計量のためにのみ特別に行なわれ、計量が終わるとこの紐を取り除く必要がある。このような形態では作業操作が面倒であり、計量器と共に別に用意された長い紐をも携帯しなければならず面倒である。
【課題を解決するための手段】
【０００４】  請求項１に記載の発明は、ハンガハンドル１を有した計量器２に、被計量物Ａに巻き付け可能のハンガベルト３を設けたことを特徴とする携帯計量器の構成とする。ハンガベルト３付きの計量器２は携帯用に便利である。このハンガベルト３をダンボールケース等の被計量物Ａに巻き付けると、ハンガベルト３面で幅広く被計量物Ａ面を受ける状態になる。このハンガハンドル１を持って計量器２を吊り上げて、被計量物Ａを吊り下げて重量を計測する。計測が終わってハンガベルト３を被計量物Ａから外すと携帯し易い形態となる。【０００５】  請求項２に記載の発明は、ハンガベルト３の巻付部４の幅を適宜幅に広げて被計量物Ａに巻き付けて、この巻き付けた状態でハンガハンドル１を持って吊り下げた状態として計量する。計量を終わってハンドベルト３を被計量物Ａから外すと、該ハンガベルト３の幅が縮小されて狭くなり携帯し易い形態となる。【０００６】  請求項３に記載の発明は、ハンガベルト３を被計量物Ａに巻き付けたときは、ベルト止め位置でハンガベルト３の長さを長、短に調節して被計量物Ａを安定的に吊り下げし易い状態とする。
【発明の効果】
【０００７】  請求項１に記載の発明は、計量器２はハンガベルト３付きで一体形態であるため、携帯し易く、ハンガベルト３は帯状で長さを短くできるベルト形態であるため、被計量物Ａへの着脱が簡単、容易であり、吊り下げ時は被計量物Ａが重量物であっても安定して吊り下げて計量できる。【０００８】  請求項２に記載の発明は、ハンガベルト３はベルト幅を適宜に広くして被計量物Ａに巻き付けることができるため、重量が大きく、重心位置が多少偏位していても吊り下げを安定させることができる。又、計量をしないで単に携帯だけの状態では、このベルト幅が狭くなっているため、場所をとらず携帯しやすいものである。【０００９】  請求項３に記載の発明は、被計量物Ａは外周長さが異なることが多く、ハンガベルト３を巻き掛けるときは、この長さを適宜調節できるため、被計量物Ａに応じた長さに設定して、吊下げ計量に適応させることができ、安定した計量を行なわせることができる。
【発明を実施するための最良の形態】
【００１０】  この発明の実施例を図面に基づいて説明する。計量器２はロードセルから構成されて、箱型形態の計量ケース５の内部に、バッテリや、レシート等と共に収容されている。この計量器２を計量させるハンガリング６が下側に突出されて上下動できる。このハンガリング６に被計量物Ａを吊り下げるためのハンガベルト３を取り付ける。又、ハンガハンドル１は計量ケース５の上側に取り付けられて、計量者が手で持ち上げて、被計量物も共に吊り下げて計量を行なわせることができる。該計量ケース５の正面には液晶表示窓７が形成されて、計量重量をｋｇ表示することができる。【００１１】  前記ハンガベルト３は、所定容量のダンボールケースに巻き付けるために必要な長さにしている。前記ハンガリング６にハンガプレート８を設け、このハンガプレート８には、ハンガベルト３の基部を取り付けると共に、締付カム９を回動自在に支持した支持リング１０を設ける。これらハンガプレート８と支持リング１０の締付カム９との間に、前記ハンガベルト３の先端部１１を差し込む差込間隔部１２を形成している。又、該締付カム９は偏心ローラ形態で一部にハンドル１３を有して、このハンドル１３で締付カム９を回動することによって、差込間隔部１２に差し込まれたハンガベルト３の先端部１１を、この締付カム９でハンガプレート８に締め付けて、このハンガベルト３の被計量物Ａへの巻き付けを固定することができる。このハンガベルト３の被計量物Ａへの巻付長さは、この先端部１１の差込間隔部１２への差込長さの調節によって決めることができる。【００１２】  前記ハンガベルト３は、ベルト幅を拡縮できる。ハンガベルト３は厚手の合成樹脂製の布織形態、乃至二重折合わせの形態として、伸縮しない形態としているが、基部と先端部１１との中間部の巻付部４は、ベルトの中央部に沿って長穴１４を形成して、この長穴１４部の巻付部４はベルト横方向へ開くことができる。この巻付部４の開きによってベルト幅を拡張したり、もとのベルト幅に戻すことができる。図例では、この長穴１４部に拡縮自在のネット１５を設けて、巻付部４の拡縮と、被計量物Ａの支持を安定させることができる。このネット１５は、バイヤス織状形態にしているが、ゴ厶製にして成形することもできる。【００１３】  このハンガベルト３を被計量物Ａの巻掛けた状態でベルト幅を広げたときは、これら巻付部４が相互に引き寄せられてベルト幅がもとの幅に戻り易い傾向にあるが、これを阻止するためにハンガベルト３の内側、特に巻付部４の内側面に滑止用のライニングゴム１６を形成しておくことができる。このライニングゴム１６によって被計量物Ａがダンボールケースのようにハンガベルト３の滑りやすい物であっても、ベルト幅が左右に開かれた所定の間隔に維持されて、安定した吊下げ計量を行なわせる。【００１４】  前記計量器２は、ロードセル１９による計量を表示窓７に表示すると共に、計量ケース５に内装のレシート記録器２０でレシートに対して記録するように構成している。このためコントローラ２１の入力側には、電源スイッチ２２や、ロードセル１９の計量値等を入力しうるように構成し、又、計量処理モードの選択する切替スイッチ２３を設けている。出力側には、表示��７にそのロードセル１９による各計量値や、各計量値の合計値等をデジタル表示しうるように構成している。又これらの値はメモリー２４に記録されてレシート記録器２０でレシートに打出しプリントすることができる。【００１５】  次に、図６に基づいて上例と異なる点は、前記ハンガベルト３の巻付部４にフック１７を設けたもので、巻付部４を左右に開いて被計量物Ａを受けた状態で、このフック１７を被計量物Ａの左右両端部等に係合させることにより、この巻付部４が引き寄せられるのを防止して、ベルト幅が狭くならないように維持するものである。この各フック１７はゴ厶紐１８を介して連結して、被計量物Ａの幅域に合わせ易くしている。又、このフック１７には被搬送物Ａに対する係止を容易にするため針状乃至爪状の係止爪２５を形成することもできる。【００１６】  上記のような携帯計量器で被計量物Ａを計量するときは、ハンガベルト３を床面等に置いて伸ばし、この巻付部４の上面に被計量物Ａの底部を載せる。又は、床面に置かれた被計量物Ａの底面側にハンガベルト３の巻付部４を敷き込む。このようにしてハンガベルト３の先端部１１と、計量器２側のハンガプレート８とを被計量物Ａの真上に位置させて引き寄せる。そして、この先端部１１を支持リング１０との間の間隔部１２に差し込む。この状態でハンガベルト３の吊り下げ長さを適当するように設定すると共に、巻付部４のベルト幅を横側へ被計量物Ａの支持に適応するように拡げる。これらハンガベルト３の長さや幅等が決まるとハンドル１３で締付カム９を回して、ベルトの先端部１１をハンガプレート８に締め付けて固定する。【００１７】  ここで、スイッチ２２をＯＮして、計量者がハンガハンドル１を持って被計量物Ａを吊り下げると、この被計量物Ａの重量が計量器２で計量されて、この重量が表示窓７にデジタル表示される。この計量後は被計量物Ａを床面に降ろして、ハンドル１３で締付カム９を回動を戻してベルト先端部１１の固定を解いて抜き外す。このときベルト幅は被計量物Ａとの摩擦抵抗がなくなり、もとの狭いベルト幅に自動的に復帰する。このような携帯計量器は、ハンガハンドル１と、計量器２と、ハンガベルト３とが一体的であるため、持運びはもとより、計量取扱いに簡単便利である。【００１８】  前記、計量器では計量された重量を表示窓７に直接デジタル表示するため、この計量の正確性を高めることができる。又、これを計量器２のメモリーで記録すると共に、前記計量ケース５内のレシートに打出しできるために、計量処理作業を的確で、迅速化できる。又、各被計量物Ａの計量毎に重量が集計されるため作業合計重量を正確に知ることができる。
【産業上の利用可能性】
【００１９】  ダンボールケース等の被計量物を手で吊り下げて簡単容易に計量するもので、携帯用として便利に使用するものである。
【図面の簡単な説明】
【００２０】
【図１】計量器の使用状態を示す斜視図。
【図２】その側面図。
【図３】その計量器、及びハンガベルト部の斜視図。
【図４】その計量器、及びハンガベルト部の斜視図。
【図５】その計量器の計量制御のブロック図。
【図６】一部別実施例を示すハンガベルト部の斜視図。
【符号の説明】
【００２１】１  ハンガハンドル
２  計量器
３  ハンガベルト
４  巻付部
【図１】
2005062146.tif 000003
【図２】
2005062146.tif 000004
【図３】
2005062146.tif 000005
【図４】
2005062146.tif 000006
【図５】
2005062146.tif 000007
【図６】
2005062146.tif 000008